(57)【要約】【課題】文字等をベルトに同時に縫い込むことにより、長期に亘り鮮明な文字等を容易に得ることができると共に、ベルト自体の耐久性を十分に高めることが可能な織物ベルトを提供する。【解決手段】第１細幅織物層と第２細幅織物層とを備え、両細幅織物層の所定位置が綴じ糸で綴じられることによりループ部を有して一体化された織物ベルトであって、第１細幅織物層と第２細幅織物層の織り込み及び前記綴じ糸による両細幅織物層の綴じ込みと同時に、第１細幅織物層と第２細幅織物層の少なくとも一方の表面に文字等が織り込まれていることを特徴とする。前記綴じ糸は、ループ部において第１、第２細幅織物層のそれぞれを綴じ、非ループ部において第１、第２細幅織物層を一括して綴じる。【選択図】  図４
2007138307.tif 000002
【特許請求の範囲】
【請求項１】
第１細幅織物層と第２細幅織物層とを備え、両細幅織物層の所定位置が綴じ糸で綴じられることによりループ部を有して一体化された織物ベルトであって、
前記第１細幅織物層と第２細幅織物層の織り込み及び前記綴じ糸による両細幅織物層の綴じ込みと同時に、前記第１細幅織物層と第２細幅織物層の少なくとも一方の表面に文字等が織り込まれていることを特徴とする織物ベルト。
【請求項２】
前記綴じ糸は、前記ループ部において第１細幅織物層と第２細幅織物層のそれぞれを綴じ、非ループ部において第１細幅織物層と第２細幅織物層とを一括して綴じることを特徴とする請求項１に記載の織物ベルト。
【請求項３】
前記第１細幅織物層と第２細幅織物層は、内外の織物層をそれぞれ有しこれらの両織物層が綴じ糸でそれぞれ綴じられていることを特徴とする請求項１または２に記載の織物ベルト。
【請求項４】
前記ループ部は、他の織物ベルトが挿通可能な挿通孔を形成し得ると共に、非ループ部と色別可能な識別手段を有することを特徴とする請求項１ないし３のいずれかに記載の織物ベルト。
【発明の詳細な説明】
【技術分野】
【０００１】
本発明は、織物によって帯状に形成された織物ベルトに係わり、特にベルトの表面に文字等が同時に織り込まれた織物ベルトに関する。
【背景技術】
【０００２】
従来、例えば２枚の織物ベルトを重ね合わせ、所定位置を縫い付けて一体化すると共に非縫い付け部分に通し孔を設け、この通し孔に同一に形成された他の織物ベルトを通すことにより、例えばネットを形成して使用すること等が行われている。そして、この織物ベルトの場合、織物ベルトの表面に注意書きや持ち主の会社名等の文字を印刷して使用者に認識させるようにしている。なお、織物ベルトに関する公報としては、例えば特許文献１に開示のものが知られている。
【特許文献１】特許第３０４７０１９号公報
【発明の開示】
【発明が解決しようとする課題】
【０００３】
しかしながら、このような織物ベルトにあっては、注意書きや会社名等の文字あるいは注意を感化する記号や模様、図柄等（以下、これらを文字等という）が、ベルト表面に印刷によって付与されているため、使用とともに文字等が剥がれて消えてしまう等、長期に亘り鮮明な文字等を得ることが難しい。また、２枚の織物ベルトを重ね合わせてその端部をミシン縫い等により一体化する構造であるため、織物ベルト自体の合わせ強度を十分に高めることが難しく、耐久性の面でも好ましくない。
【０００４】
本発明は、このような事情に鑑みてなされたもので、その目的は、文字等をベルトに同時に縫い込むことにより、長期に亘り鮮明な文字等を容易に得ることができると共に、ベルト自体の耐久性を十分に高めることが可能な織物ベルトを提供することにある。
【課題を解決するための手段】
【０００５】
かかる目的を達成すべく、本発明のうち請求項１に記載の発明は、第１細幅織物層と第２細幅織物層とを備え、両細幅織物層の所定位置が綴じ糸で綴じられることによりループ部を有して一体化された織物ベルトであって、前記第１細幅織物層と第２細幅織物層の織り込み及び前記綴じ糸による両細幅織物層の綴じ込みと同時に、前記第１細幅織物層と第２細幅織物層の少なくとも一方の表面に文字等が織り込まれていることを特徴とする。
【０００６】
そして、前記綴じ糸は、請求項２に記載の発明のように、前記ループ部において第１細幅織物層と第２細幅織物層のそれぞれを綴じ、非ループ部において第１細幅織物層と第２細幅織物層とを一括して綴じることが好ましい。また、前記第１細幅織物層と第２細幅織物層は、請求項３に記載の発明のように、内外の織物層をそれぞれ有しこれらの両織物層が綴じ糸でそれぞれ綴じられていることが好ましく、さらに、前記ループ部は、請求項４に記載の発明のように、他の織物ベルトが挿通可能な挿通孔を形成し得ると共に、非ループ部と色別可能な識別手段を有することが好ましい。
【発明の効果】
【０００７】
本発明のうち請求項１に記載の発明によれば、第１細幅織物層と第２細幅織物層の織り込み及び綴じ糸による両細幅織物層の綴じ込みと同時に、第１細幅織物層と第２細幅織物層の少なくとも一方の表面に文字等が織り込まれているため、文字等を織物ベルトに織り込みできて、長期に亘り鮮明な文字等を容易に得ることができると共に、両細幅織物層による二重構造によって織物ベルト自体の耐久性を十分に高めることができる。
【０００８】
また、請求項２に記載の発明によれば、請求項１に記載の発明の効果に加え、綴じ糸が、ループ部において第１細幅織物層と第２細幅織物層のそれぞれを綴じ、非ループ部において第１細幅織物層と第２細幅織物層とを一括して綴じるため、織物ベルト連結用のループ部を織り込みと同時に簡単に形成することができて、安価な織物ベルトを得ることができる。
【０００９】
また、請求項３に記載の発明によれば、請求項１または２に記載の発明の効果に加え、第１細幅織物層と第２細幅織物層が、内外の織物層をそれぞれ有しこれらの両織物層が綴じ糸でそれぞれ綴じられているため、文字糸を例えば織物ベルトの裏面側に露出させることなく織り込みできて、各種の文字等を所望の形態で織り込むことができると共に、第１細幅織物層及び第２細幅織物層自体の強度を高めて織物ベルトの耐久性を一層向上させることができる。
【００１０】
さらに、請求項４に記載の発明によれば、請求項１ないし３に記載の発明の効果に加え、ループ部が、他の織物ベルトが挿通可能な挿通孔を形成し得ると共に、非ループ部と色別可能な識別手段を有するため、ループ部により例えばネット等を形成して各種用途に使用できる等、織物ベルトの汎用性の向上を図ることができると共に、識別手段によりループ部を使用者に明瞭に認識させることができて、織物ベルトの使い勝手を向上させることができる。
【発明を実施するための最良の形態】
【００１１】
以下、本発明の実施の形態を図面に基づいて詳細に説明する。
図１〜図９は、本発明に係わる織物ベルトの一実施形態を示し、図１がその斜視図、図２が一部破断した平面図、図３が概略断面図、図４が長手方向の組織図、図５〜図８が幅方向の組織図、図９が使用方法の一例を示す平面図である。
【００１２】
図１〜図３に示すように、織物ベルト１は、該織物ベルト１の裏面１ｂ側に位置する第１細幅織物層２と、この第１細幅織物層２の表面側に積層状態で一体化された第２細幅織物層３とで構成されている。この時、第１細幅織物層２の幅Ｗ１は第２細幅織物層３の幅Ｗ２より所定寸法大きく設定され、第２細幅織物層３が第１細幅織物層２の幅方向の略中間位置に、織り込みによりループ部４と非ループ部５を有して一体化されている。
【００１３】
すなわち、織物ベルト１の長手方向において、第１細幅織物層２に対して第２細幅織物層３を後述する如く綴じ糸６（図４参照）で綴じることにより、両細幅織物層２、３が密着した二重構造の所定長さＬ２の非ループ部５が形成され、この非ループ部５に連続する状態で、第１細幅織物層２に対して第２細幅織物層３を綴じ糸６で綴じることなく単に積層することにより、両細幅織物層２、３が互いに接離可能な所定長さＬ１のループ部４が形成されている。このループ部４は、図３に示すように、通常その内面が互いに接触した状態となっており、この状態から非ループ部５を矢印イ方向に押すことにより図３の二点鎖線で示すように両細幅織物層２、３が屈曲して、両細幅織物層２、３間に挿通孔７が形成されるようになっている。
【００１４】
また、織物ベルト１の表面１ａである第２細幅織物層３の表面には、所定の文字８や模様９（識別手段）が織り込みによって付与されている。すなわち、第２細幅織物層３の非ループ部５の表面には、注意書きや会社の名称等の文字８が織り込まれ、第２細幅織物層３のループ部４の表面で例えば幅方向両端部には、例えば波形等の所定形状の模様９が織り込まれている。この時、文字８や模様９は、第２細幅織物層３の色調と異なる色調に設定されることにより、これらが明瞭に視認されるようになっている。なお、この例では非ループ部５に注意書きの文字８を折り込み、ループ部４に模様９を織り込んだが、ループ部４に文字８を織り込み非ループ部５に模様９を織り込むこともできる。
【００１５】
図４〜図８は、この織物ベルト１の組織図を示している。以下、これについて説明する。先ず、織物ベルト１の長手方向においては、図４に示すように、第１細幅織物層２と第２細幅織物層３が、それぞれ横糸１０ａ、１１ａと縦糸１０ｂ、１１ｂからなる内織物層１０と外織物層１１の二層の織物でそれぞれ構成されている。そして、この内織物層１０と外織物層１１は、各綴じ糸６により綴じられてそれぞれ一体化されており、この時、前記ループ部４においては、第１細幅織物層２と第２細幅織物層３の各内外織物層１０、１１が綴じ糸６で図において上下方向にそれぞれ綴じられ、前記非ループ部５においては、第１細幅織物層２と第２細幅織物層３の全ての内外織物層１０、１１が綴じ糸６で図において上下方向に一括して綴じられている。
【００１６】
また、織物ベルト１の幅方向も、ループ部４の場合は、図５に示すように、第１細幅織物層２と第２細幅織物層３の内外織物層１０、１１が前記綴じ糸６でそれぞれ綴じられ、非ループ部５の場合は、図６に示すように、第１細幅織物層２と第２細幅織物層５の内外織物層１０、１１が前記綴じ糸６で一括して綴じられている。さらに、非ループ部５で文字８が表面に現れている部分は、図７に示すように、第２細幅織物層３の外織物層１１に文字糸１２が位置しており、非ループ部５で文字８が表面に現れていない部分は、図８に示すように、第２細幅織物層３の内織物層１０の内側（すなわち第２細幅織物層３の内側）に文字糸１２が隠された状態となっている。
【００１７】
そして、このような組織をもった前記織物ベルト１は、ＮＣ制御（座標制御）が可能なニードル織機等によって自動的に製造される。なお、前記文字糸１２により文字８や模様９を織り込み方法としては、図７に示す方法と、図７の内織物層１０と外織物層１１を逆配置させる、すなわち織物ベルトの表面１ａ側に縦糸１０ｂを有する内織物層１０を位置させ、この内織物層１０の内側に文字糸１２や縦糸１１ｂを有する外織物層１１を位置させる方法を採用することもできる。また、前記文字糸１２を隠す方法も、図８の第１細幅織物２の内織物層１０と第２細幅織物３の内織物層１０間に限らず、第２細幅織物層３の内織物層１０と外織物層１１間あるいは第１細幅織物層２の内織物層１０と外織物層１１間に隠して、織物ベルト１の裏面１ｂ側に露出させない構成とすることもできるし、織物ベルト１の裏面１ｂの意匠が重要視されない場合等には、文字糸１２を第１細幅織物層２の表面（織物ベルト１の裏面１ｂ）側に露出させることも可能である。
【００１８】
次に、このように構成された織物ベルト１の使用方法の一例を、図９に基づいて説明する。先ず、所定幅と所定長さを有しかつループ部４が所定間隔で設けられた多数本の織物ベルト１を準備する。この時、各織物ベルト１には、前述したように所定の文字８や模様９等が織り込まれており、文字８等により織物ベルト１の表裏面１ａ、１ｂを確実に把握できると共に、模様９によってループ部４の位置を明瞭に認識することができる。
【００１９】
そして、所定の織物ベルト１のループ部４を拡げて前記挿通孔７を形成し、この挿通孔７に他の織物ベルト１を通し、この作業を各織物ベルト１間で行うことにより、図９に示すように、各織物ベルト１が格子状に連結されてネット１３が作成される。この連結作業時に、前述した注意書きや識別手段により織物ベルト１の状態を把握（確認）しつつ行うことができて、その作業が能率的に行えることになり、このネット１３は、例えば防砂用や防雪用として使用される。
【００２０】
このように、上記実施形態の織物ベルト１にあっては、第１細幅織物層２と第２細幅織物層３の織り込み及び綴じ糸６による両細幅織物層２、３の綴じ込みと同時に、第２細幅織物層３の表面に文字８と模様９が織り込まれているため、文字８や模様９を織物ベルト１に織り込むことができて、従来の印刷による付与に比較して、文字８や模様９を長期に亘り鮮明に維持することができる。その結果、例えば織物ベルト１をネット１３として使用する場合に、織物ベルト１に織り込まれた注意書きの文字８等によって、設置されたネット１３の安全性等を長期に亘り維持することが可能となる。
【００２１】
また、織物ベルト１が、第１細幅織物層２と第２細幅織物層３の二重構造により形成されると共に、各細幅織物層２、３が内外織物層１０、１１によって形成されているため、各細幅織物層２、３の強度を高めて織物ベルト１自体の耐久性を十分に向上させることができ、例えば防砂用や防雪用のネット１３等に好適に使用することが可能となる。
【００２２】
また、織物ベルト１のループ部４が、他の織物ベルト１が挿通可能な挿通孔７を形成し得ると共に、非ループ部５に模様９が織り込まれているため、ループ部４により例えばネット１３を形成できて織物ベルト１を各種用途に使用できる等、織物ベルト１の使用の汎用性の向上を図ることができると共に、模様９によりループ部４を使用者に明瞭に認識させることができて、織物ベルト１の使い勝手を向上させることができる。さらに、織物ベルト１に文字８等が予め織り込まれているため、文字８等を宣伝用として使用することもでき、織物ベルト１自体の付加価値を高めることができると共に、目立ち易い文字８や模様９等によって、複数本の織物ベルト１の連結作業を確実に行うことができたり、連結した織物ベルト１の使用を良好かつ安全に行うこと等が可能となる。
【００２３】
また、織物ベルト１の綴じ糸６が、ループ部４において第１細幅織物層２と第２細幅織物層３のそれぞれを綴じ、非ループ部５において第１細幅織物層２と第２細幅織物層３とを一括して綴じるため、織物ベルト連結用のループ部４を織り込みと同時に簡単に形成することができて、安価な織物ベルト１を得ることができる。また、第１細幅織物層２と第２細幅織物層３が、内外織物層１０、１１をそれぞれ有しこれらの両織物層１０、１１が綴じ糸６でそれぞれ綴じられているため、文字糸１２を例えば織物ベルト１の裏面１ｂ側に露出させることなく織り込みできて、各種の文字８等を所望の形態で織り込むことができると共に、文字糸１２を裏面１ｂ側に露出させないことで織物ベルト１自体の意匠性を高めることができる。
【００２４】
なお、上記実施形態においては、文字８が縫い込まれる第２細幅織物層３の幅Ｗ２が第１細幅織物層２の幅Ｗ１より所定寸法小さい場合について説明したが、本発明はこの例に限定されず、例えば図１０に示すように、第１細幅織物層２と第２細幅織物層３の幅Ｗ１、Ｗ２を同一に設定しても良いし、また、ループ部４や非ループ５の長さＬ１、Ｌ２も、織物ベルト１の用途に応じて適宜に変更することができる。
【００２５】
また、上記実施形態においては、織物ベルトの表面１ａ側に文字８と模様９を織り込んだ場合について説明したが、例えば織物ベルトの裏面１ｂ側にも文字８や模様９を織り込み、両面使用可能とすることもできる。また、上記実施形態においては、織物ベルト１に織り込みと同時に文字８や模様９を織り込んだが、注意書きの文字８のかわりに会社名やベルトの商品名等の他の文字８を織り込んだり、識別手段としての模様９の代わりに図柄（マーク）や色調等を使用することもできるし、文字８と模様９等を組み合わせて使用することも勿論可能である。さらに、上記実施形態における、織物ベルト自体の構成や組織図等も一例であって、例えば第１細幅織物層２や第２細幅織物層３の少なくとも一方を１層構造としたり三層以上に構成する等、本発明の各発明に係わる要旨を逸脱しない範囲において、適宜に変更することができる。
【産業上の利用可能性】
【００２６】
本発明は、防砂用や防雪用のネットへの利用に限らず、例えば牽引用のベルトや引っ越し袋用の締結ベルト等、あらゆるベルトにも利用できる。
【図面の簡単な説明】
【００２７】
【図１】本発明に係わる織物ベルトを示す斜視図
【図２】同その一部破断した平面図
【図３】同その概略断面図
【図４】同長手方向の組織図
【図５】同ループ部の幅方向の組織図
【図６】同非ループ部の幅方向の組織図
【図７】同文字等の織り込み部分の幅方向の組織図
【図８】同文字等の非織り込み部の幅方向の組織図
【図９】同使用方法の一例を示す平面図
【図１０】同織物ベルトの変形例を示す図２と同様の平面図
【符号の説明】
【００２８】
１・・・織物ベルト、１ａ・・・表面、１ｂ・・・裏面、２・・・第１細幅織物層、３・・・第２細幅織物層、４・・・ループ部、５・・・非ループ部、６・・・綴じ糸、７・・・挿通孔、８・・・文字、９・・・模様、１０・・・内織物層、１０ａ・・・横糸、１０ｂ・・・縦糸、１１・・・外織物層、１１ａ・・・横糸、１１ｂ・・・縦糸、１２・・・文字糸、１３・・・ネット。
【図１】
2007138307.tif 000003
【図２】
2007138307.tif 000004
【図３】
2007138307.tif 000005
【図４】
2007138307.tif 000006
【図５】
2007138307.tif 000007
【図６】
2007138307.tif 000008
【図７】
2007138307.tif 000009
【図８】
2007138307.tif 000010
【図９】
2007138307.tif 000011
【図１０】
2007138307.tif 000012